(57)【特許請求の範囲】
【請求項１】
一面が開口し、導光体を含んだ照明光源部を収納するケースと、
フレーム開口の周縁に内向きに張り出した第１のフランジ部と前記フレーム開口の周縁から外向きに張り出した第２のフランジ部を有し、前記ケースの開口部に取り付けられて前記第１のフランジ部と前記ケースとの間で前記照明光源部を収容するフレームと、
前記照明光源部の光で裏面側から照明される液晶表示パネルと、
前記液晶表示パネルの表面側を保護する透明な板状部材であって、当該液晶表示パネルの表示領域の周囲に対応する領域に非透光性の印刷が施された保護板と、
前記保護板の表示領域からその周囲にある印刷領域までを含む当該保護板の裏面側全面に相当するサイズを有しており、裏面側が前記液晶表示パネルの表示面側全面と前記第２のフランジ部に接着し、表面側が前記保護板の裏面側に接着する透明粘着シート部材と、
少なくとも前記透明粘着シート部材の側端面に対向して設けられ、当該透明粘着シート部材の側端面からの光を遮光する遮光部とを備える表示装置。
【請求項２】
前記液晶表示パネルは、表示面上にタッチパネルを備え、
前記透明粘着シート部材は、裏面側で前記タッチパネルの表面側を接着することを特徴とする請求項１記載の表示装置。
【請求項３】
前記遮光部は、前記第２のフランジ部から前記保護板に向けて立設した立ち壁部であることを特徴とする請求項１記載の表示装置。
【請求項４】
前記立ち壁部は、前記透明粘着シート部材の側端面と前記保護板の側端面とに対向することを特徴とする請求項３記載の表示装置。
【請求項５】
表裏を貫通した開口部を有し、前記保護板と前記液晶表示パネルを前記ケースとともに収容した前記フレームが表面側の開口部に組み付けられる意匠筐体を備え、
前記遮光部は、前記意匠筐体の表面側の開口部周縁から内向きに迫り出して少なくとも前記透明粘着シート部材の側端面に対向する段差部であることを特徴とする請求項１記載の表示装置。
【発明の詳細な説明】
【技術分野】
【０００１】
この発明は、液晶表示装置などの保護板付きの表示部を有した表示装置に関する。
【背景技術】
【０００２】
携帯電話、車載ディスプレイなどの表示装置には、外部衝撃からの保護、意匠性および光学特性の向上を目的として、表示パネルの上面に保護板が設けられている。また、この保護板には、表示パネルの表示画面の外周部分に内部構造が外部から視認できないようにするための構造隠しの枠印刷が施される。【０００３】
表示パネルへの保護板の取り付け構造としては、例えば特許文献１に保護板と金属枠を固着させる技術が記載されている。この金属枠は、液晶表示部の外周に配設されており、保護板は、透明な光硬化型接着剤によって液晶表示部の透明基板と金属枠のフランジ部分に接着固定される。【０００４】
また、特許文献２には、外部筐体となる枠体の開口部分に段差部を設け、この段差部に保護板を貼り付ける電子機器が開示されている。この電子機器においては、保護板の視認側に表面フィルムが貼り付けられる。表面フィルムの裏面には、表示部の外周に相当する部分に構造隠しの印刷層が形成されており、この印刷層は、上述した枠印刷と同様な機能を有している。なお、表面フィルムは、透明な粘着層により保護板およびその外周の枠体部分に固着される。
【先行技術文献】
【特許文献】
【０００５】
【特許文献１】特開２００９−８７０３号公報
【特許文献２】特開２００９−０６９３３３号公報
【発明の概要】
【発明が解決しようとする課題】
【０００６】
特許文献１，２に代表される従来の技術では、透明な接着層の側端面が機器筐体の外周に剥き出した構造である。このため、液晶表示部のバックライトなどの表示用の光が接着層の内部を通って側端面から光漏れして機器筐体の外周から視認されるという課題があった。特に、接着層の厚みが増すほど、外周から漏れ出る光量が多くなる。【０００７】
この発明は、上記のような課題を解決するためになされたもので、装置内部で発生した光の外部への漏れを防ぐことができる表示装置を得ることを目的とする。
【課題を解決するための手段】
【０００８】
この発明に係る表示装置は、一面が開口し、導光体を含んだ照明光源部を収納するケースと、フレーム開口の周縁に内向きに張り出した第１のフランジ部とフレーム開口の周縁から外向きに張り出した第２のフランジ部を有し、ケースの開口部に取り付けられて第１のフランジ部とケースとの間で照明光源部を収容するフレームと、照明光源部の光で裏面側から照明される液晶表示パネルと、液晶表示パネルの表面側を保護する透明な板状部材であって、当該液晶表示パネルの表示領域の周囲に対応する領域に非透光性の印刷が施された保護板と、保護板の表示領域からその周囲にある印刷領域までを含む当該保護板の裏面側全面に相当するサイズを有しており、裏面側が液晶表示パネルの表示面側全面と第２のフランジ部に接着し、表面側が保護板の裏面側に接着する透明粘着シート部材と、少なくとも透明粘着シート部材の側端面に対向して設けられ、当該透明粘着シート部材の側端面からの光を遮光する遮光部とを備える。
【発明の効果】
【０００９】
この発明によれば、装置内部で発生した光の外部への漏れを防ぐことができるという効果がある。
【図面の簡単な説明】
【００１０】
【図１】保護板付きの表示部を有する表示装置を示す正面図である。
【図２】従来の表示装置の構成を示す分解斜視図である。
【図３】従来の表示装置の構成を示す断面図である。
【図４】この発明の実施の形態１に係る表示装置の構成を示す分解斜視図である。
【図５】実施の形態１に係る表示装置の構成を示す断面図である。
【図６】実施の形態１に係る表示装置のタッチパネルを備えた構成を示す断面図である。
【図７】この発明の実施の形態２に係る表示装置の構成を示す断面図である。
【図８】この発明の実施の形態３に係る表示装置の構成を示す断面図である。
【発明を実施するための形態】
【００１１】
以下、この発明をより詳細に説明するため、この発明を実施するための形態について、添付の図面に従って説明する。
実施の形態１．
図１は、保護板付きの表示部を有する表示装置を示す正面図である。図１に示す表示装置１は、携帯電話、スマートフォンあるいはＰＮＤ（Ｐｏｒｔａｂｌｅ  Ｎａｖｉｇａｔｉｏｎ  Ｄｅｖｉｃｅ）などの表示部を有する携帯端末、ディスプレイを有した車載用のオーディオ装置、または、オーディオとナビゲーションの一体型機を含む車載用情報機器などの表示装置となり得る。表示装置１の表示面側ケース２には、液晶表示パネルを保護するための保護板３が取り付けられる。保護板３には、表示画面に対応する表示領域３ａと、表示領域３ａの周囲の裏面に非透光性の印刷を施してなる印刷領域３ｂが形成されている。
【００１２】
図２は、従来の表示装置の構成を示す分解斜視図であり、図１に示したような表示装置の従来の構成を概略的に示している。従来の表示装置１００は、保護板１０２の非透光性の印刷領域１０２ｂを、非透光色の粘着部材１０２ｃで表示面側ケース１０１に接着固定することで、保護板１０２周囲からの光漏れの低減を図った構成を有している。
その構成としては、図２に示すように、表示面側ケース１０１、保護板１０２、液晶表示パネル１０３、バックライト保持用フレーム１０４、導光板を含む照明光源部１０５、バックライト保持用ケース１０６および裏面側ケース１０７を備える。
【００１３】
表示面側ケース１０１は、表示装置１００の表示面側の筐体を構成するフレーム形状の意匠筐体であり、液晶表示パネル１０３の表示面側に取り付ける保護板１０２が配置されている。この表示面側ケース１０１および裏面側ケース１０７が、表示装置１００の筐体本体となる。
【００１４】
保護板１０２は、透明材料で形成され、液晶表示パネル１０５の表示面を外部から保護する板状部材である。保護板１０２において、表示領域１０２ａの周囲は、非透光色（例えば、黒色）で枠状の裏面印刷を施してなる印刷領域１０２ｂとなっている。
従来では、保護板１０２は、表示面側ケース１０１の開口部の周縁に内向きに張り出したフランジ部１０１ａに、枠形状に設けた非透光色の粘着部材１０２ｃによって接着固定される。
【００１５】
液晶表示パネル１０３は、表示面側と裏面側の透明基板で狭持された液晶層、液晶層に電界を印加する電極構造、カラーフィルタ、偏光板などで構成されており、照明光源部１０５のバックライト光が裏面側から照射されて画像を表示する。
また、液晶表示パネル１０３は、表示面側が透明粘着シート１０３ａを介して保護板１０２に貼り付けられ、裏面側の外周部がバックライト保持用フレーム１０４のフランジ部１０４ａに接着固定されている。
なお、透明粘着シート１０３ａは、保護板１０２の表示領域１０２ａと略同一なサイズを有した透明粘着シート部材であり、液晶表示パネル１０３の表示面側と保護板１０２の裏面側のみを接着する。
【００１６】
バックライト保持用フレーム１０４は、フレーム開口の周縁に内向きに張り出したフランジ部１０４ａが形成されたフレーム部材である。
照明光源部１０５は、ＬＥＤなどのバックライト用光源と導光板とを含んで構成され、バックライト用光源から出射された光を、導光板で拡散光として液晶表示パネル１０３の裏面へ照射する。
バックライト保持用ケース１０６は、一面が開口した箱形状のケースであり、照明光源部１０５を収納する。
バックライト保持用フレーム１０４をバックライト保持用ケース１０６の開口部に取り付けることにより、フランジ部１０４ａとバックライト保持用ケース１０６との間に照明光源部１０５が収容される。
【００１７】
図３は、従来の表示装置の構成を示す断面図であり、図１のＡ−Ａ線で図２の表示装置を切った矢印方向の断面を示している。図３において、表示面側ケース１０１と裏面側ケース１０７からなる筐体本体には、表示面側に、透明粘着シート１０３ａで保護板１０２が取り付けられた液晶表示パネル１０３が配設される。また、液晶表示パネル１０３の裏面側には、照明光源部１０５を収納するバックライト保持用フレーム１０４とバックライト保持用ケース１０６からなる保持筐体が配設される。
液晶表示パネル１０３の裏面側の外周領域（印刷領域１０２ｂ）は、固定テープなどの非透光色の粘着部材１０２ｃによって表示面側ケース１０１のフランジ部１０１ａに接着固定されている。
【００１８】
図３に示すように、表示装置１００は、保護板１０２の非透光性の印刷領域１０２ｂを非透光色の粘着部材１０２ｃで表示面側ケース１０１に接着固定することにより、保護板１０２の周囲からの光漏れの低減を図っている。すなわち、この構成では、非透光色の粘着部材１０２ｃを印刷領域１０２ｃに沿って枠形状に設ける必要がある。
しかしながら、表示装置１００ごとのサイズのばらつきを考慮した場合に、枠形状の粘着部材１０２ｃを形成することは、高い加工精度を必要とする。このため、装置コストのアップに繋がり、その形状の採用は困難である。
これに対して、印刷領域１０２ｂに沿って非透光色の固定テープを保護板１０２の一辺ごとに貼り付けることで粘着部材１０２ｃを形成する構成も考えられるが、製造精度の関係上、不可避的にコーナー部分で固定テープの配置隙間が生じるため、その部分から光が漏れる結果となっていた。
【００１９】
そこで、この発明では、バックライト保持用フレーム１０４の代わりに、保護板の外周部を裏面側から保持するフランジ部を形成したフレームを使用し、さらに、粘着部材１０２ｃおよび透明粘着シート１０３ａの代わりに、フレームの上記フランジ部と液晶表示パネルの表示面側全面に裏面側が接着し、保護板の裏面側の略全面に表面側が接着する保護板に相当するサイズ（略同一なサイズ）の透明粘着シートを使用し、この透明粘着シートの側端面に対向して内部からの光を遮光する遮光部を設けている。このように構成することで、安価で簡易な構成で、表示装置の内部で発生した光の外部への漏れを防ぐことができる。
【００２０】
図４は、この発明の実施の形態１に係る表示装置の構成を示す分解斜視図であり、実施の形態１に係る表示装置の構成を概略的に示している。図５は、実施の形態１に係る表示装置を示す断面図であって、図１のＡ−Ａ線で図４の表示装置を切った矢印方向の断面を示している。図４に示すように、表示装置１は、表示面側ケース２、液晶表示パネル４、モールドフレーム５、照明光源部６、バックライト保持用ケース７および裏面側ケース８を備えて構成される。
【００２１】
モールドフレーム５は、非透光色（例えば、黒色）で照明光源部６を保持するフレームであって、液晶表示パネル４を取り付けるための第１のフランジ部であるフランジ部５ａと、フレーム開口の周縁の外向きに張り出した第２のフランジ部であるフランジ部５ｂとを備えている。図４に示すように、このモールドフレーム５をバックライト保持用ケース７の開口部に取り付けることで、従来と同様に、フランジ部５ａとバックライト保持用ケース７との間に照明光源部６を収容することができる。
【００２２】
また、モールドフレーム５は、保護板３の印刷領域３ｂに沿ってフレーム開口の周縁の外向きに張り出したフランジ部５ｂを有している。このフランジ部５ｂに保護板３が保持される。図２、図３に示した従来の構造では、バックライト保持用フレーム１０４で液晶表示パネル１０３を保持し、バックライト保持用フレーム１０４とは別部材の表示面側ケース１０１で保護板１０２を保持している。このため、バックライト保持用フレーム１０４と表示面側ケース１０１の寸法公差を考慮すると平面性を確保しにくく、保護板１０２と略同一なサイズの透明粘着シートを使用することが困難であった。
【００２３】
これに対して、この発明では、液晶表示パネル４を保持するモールドフレーム５で保護板３も保持するため、平面性を確保しやすく、保護板３と略同一なサイズの透明粘着シート４ａを使用することができる。これにより、粘着部材を枠形状に形成したり、固定テープを貼り合わせる必要がない。従って、製造が容易でありかつ製品コストを低減することも可能となる。
【００２４】
また、保護板３の裏面側全面を透明粘着シート４ａで接着するため、保護板３が割れた際にも、その破片は透明粘着シート４ａに貼り付いたままとなるため、破片の飛散を防止できる。さらに、保護板３の外周部とフランジ部５ｂとを貼り付けるので、保護板３の印刷領域３ｂと表示面側ケース２との隙間から入った塵埃が液晶表示パネル４側に流入することも防止可能である。
【００２５】
保護板３の裏面全面と略同一なサイズの透明粘着シート４ａでは、粘着部材１０２ｃと透明粘着シート１０３ａとを使用する場合と異なって、透明粘着シート４ａの内部で光を遮断する部位がない。このため、照明光源部６からの光が、透明粘着シート４ａの側端面から外部へ漏れる可能性がある。
そこで、この発明では、透明粘着シート４ａの側端面に対向して光漏れを遮断する遮光部を設けている。図４、図５の例では、遮光部は、フランジ部５ｂから保護板３に向けて立設した立ち壁部５ｃである。このように構成することで、安価で簡易な構成で、表示装置１の内部で発生した光の外部への漏れを防ぐことができる。
【００２６】
立ち壁部５ｃの高さは、図５に示すように、保護板３の裏面に可能な限り近接する高さとすることで、遮光効果の向上を図ることができる。例えば、透明粘着シート４ａの厚み分の高さと略同一とし、透明粘着シート４ａに保護板３が接着された際に、立ち壁部５ｃの上端面が印刷領域３ｂに当接するようにする。
【００２７】
なお、保護板３は、各端辺部分に形成された非透光性の印刷領域３ｂで遮光されることから、その側端面からの光漏れは微弱である。
従って、図５に示すように、保護板３と液晶表示パネル４を収容したモールドフレーム５およびバックライト保持用ケース７からなる構造体を、表示面側ケース２の開口部分に収容した状態で、保護板３の側端面に対向して表示面側ケース２の内壁面が配設されるように構成することで、保護板３の側端面からの光漏れを十分に防止できる。
【００２８】
表示面側ケース２は、表示装置１の表示面側の筐体を構成するフレーム形状の意匠筐体である。この発明に係る表示面側ケース２は、図２，図３に示した構造と異なって、保護板３と液晶表示パネル４を収容したモールドフレーム５およびバックライト保持用ケース７からなる構造体を保持する。より詳しく説明すると、図５に示すように、表示面側ケース２の開口部の周縁に内向きに張り出したフランジ部２ａに、モールドフレーム５のフランジ部５ｂの裏面側が保持される。例えば、粘着部材を用いて接着固定する。
この表示面側ケース２を、図４に示すように裏面側ケース８に組み付けることにより、表示装置１の筐体本体となる。
【００２９】
図６は、実施の形態１に係る表示装置のタッチパネルを備えた構成を示す断面図である。図６に示す表示装置１Ａでは、液晶表示パネル４が表示面上にタッチパネル９を備え、透明粘着シート４ａが裏面側でタッチパネル９の表面側を接着している。なお、タッチパネル９と液晶表示パネル４とは、図６に示すように透光色の粘着部材４ｂで接着固定されている。これにより、表示装置１Ａにタッチ操作機能を持たせることができる。
なお、透光色の粘着部材での貼り合わせ部品数が多くなるにつれて、その側端面での光漏れ量が多くなる傾向にあるため、タッチパネル９を介在させた構成においても立ち壁部５ｃを設けることにより、光漏れ量を低減することが可能である。
【００３０】
以上のように、この実施の形態１によれば、一面が開口し、導光体を含んだ照明光源部６を収納するバックライト保持用ケース７と、フレーム開口の周縁に内向きに張り出したフランジ部５ａとフレーム開口の周縁から外向きに張り出したフランジ部５ｂを有し、バックライト保持用ケース７の開口部に取り付けられてフランジ部５ａとバックライト保持用ケース７との間で照明光源部６を収容するモールドフレーム５と、照明光源部６の光で裏面側から照明される液晶表示パネル４と、液晶表示パネル４の表面側を保護する透明な板状部材であって、当該液晶表示パネル４の表示領域の周囲に対応する領域に非透光性の印刷が施された保護板３と、保護板３の表示領域３ａからその周囲にある印刷領域３ｂまでを含む当該保護板３の裏面側全面に相当するサイズを有しており、裏面側が液晶表示パネル４の表示面側全面とフランジ部５ｂに接着し、表面側が保護板３の裏面側に接着する透明粘着シート４ａと、少なくとも透明粘着シート４ａの側端面に対向して設けられ、当該透明粘着シート４ａの側端面からの光を遮光する立ち壁部５ｃとを備える。
このように構成することで、表示装置１の内部で発生した光が、透明粘着シート４ａの側端面からの光漏れを防ぐことができる。
また、従来よりもサイズを拡大した透明粘着シート４ａを用いることにより、保護板３の接着面積が確保されて、その保持力を向上させることができる。
さらに、透明粘着シート４ａが保護板３の裏面側のほぼ全面に接着しているので、保護板３が割れた場合でもその破片が飛散することがない。
【００３１】
また、この実施の形態１によれば、液晶表示パネル４が表面にタッチパネル９を備え、透明粘着シート４ａが、裏面側でタッチパネル９の表面側を接着するので、上記と同様の効果が得られるとともに、タッチ操作機能を表示装置１Ａに持たせることができる。
【００３２】
なお、上記実施の形態１においては、遮光部が、立ち壁部５ｃである場合を示したが、これに限定されるものではない。例えば、実施の形態２，３で後述する構成の他、透明粘着シート４ａの側端面に対向するように、フランジ部５ｂの側端面に非透光性の粘着テープを貼り付けた構成であってもよい。
【００３３】
実施の形態２．
図７は、この発明の実施の形態２に係る表示装置の構成を示す断面図であって、図１のＡ−Ａ線で実施の形態２に係る表示装置１Ｂを切った矢印方向の断面を示している。図７に示すように、表示装置１Ｂでは、モールドフレーム５Ａのフランジ部５ｂから立設した立ち壁部５ｃ−１が、透明粘着シート４ａの側端面と保護板３の側端面とにそれぞれ対向している。このように双方の側端面を覆う形状とすることで、遮光効果を格段に向上させることができる。なお、実施の形態２は、図６と同様にタッチパネル９を介在させた構成においても採用することが可能である。
【００３４】
昨今、意匠性の向上の観点から、保護板３の印刷領域３ｂの幅を可能な限り小さくした表示装置もある。この場合、装置内部の光が印刷領域３ｂで完全に遮光されず、保護板３の側端面から漏れ出る可能性がある。
そこで、このような表示装置に対して、透明粘着シート４ａの側端面と保護板３の側端面にそれぞれ対向する立ち壁部５ｃ−１を設けることにより、上述した光漏れを低減することができる。
【００３５】
以上のように、この実施の形態２によれば、立ち壁部５ｃ−１が、透明粘着シート４ａの側端面と保護板３の側端面とに対向するので、実施の形態１の構成に比べて遮光効果を向上させることができる。
【００３６】
実施の形態３．
図８は、この発明の実施の形態３に係る表示装置の構成を示す断面図であって、図１のＡ−Ａ線で実施の形態３に係る表示装置１Ｃを切った矢印方向の断面を示している。
図８に示す表示装置１Ｃにおいて、表示面側ケース２Ａは、表裏を貫通した開口部を有し、保護板３と液晶表示パネル４をバックライト保持用ケース７とともに収容したモールドフレーム５が表面側の開口部に組み付けられる意匠筐体である。
また、この実施の形態３では、モールドフレーム５Ｂのフランジ部５ｂに立ち壁部を設けず、遮光部を段差部２Ａ−１で構成している。段差部２Ａ−１は、表示面側ケース２Ａの表面側の開口部周縁から内向きに迫り出した段差部であり、その壁面部が透明粘着シート４ａの側端面に対向している。
【００３７】
なお、段差部２Ａ−１の段差面２Ａ−２を、図８に示すように、保護板３の裏面に可能な限り近接させることで、遮光効果の向上を図ることができる。例えば、段差部２Ａ−１の高さを透明粘着シート４ａの厚み分と略同一とし、透明粘着シート４ａに保護板３が接着された際に、段差面２Ａ−２が印刷領域３ｂに当接するようにする。
【００３８】
以上のように、この実施の形態３によれば、表裏を貫通した開口部を有し、保護板３と液晶表示パネル４をバックライト保持用ケース７とともに収容したモールドフレーム５が表面側の開口部に組み付けられる表示面側ケース２Ａを備え、遮光部が表示面側ケース２Ａの表面側の開口部周縁から内向きに迫り出して少なくとも透明粘着シート４ａの側端面に対向する段差部２Ａ−１である。このように構成することで、実施の形態１と同様に、表示装置１Ｃの内部で発生した光が透明粘着シート４ａの側端面からの光漏れを防ぐことができる。
【００３９】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４０】
この発明に係る表示装置は、装置内部で発生した光の外部への漏れを防ぐことができるので、夜間の車室のように漏れ光が目立つ可能性がある車載用の表示装置に好適である。
【符号の説明】
【００４１】
１，１Ａ〜１Ｃ，１００  表示装置、２，２Ａ，１０１  表示面側ケース、２ａ，５ａ，５ｂ，１０１ａ  フランジ部、２Ａ−１  段差部、２Ａ−２  段差面、３，１０２  保護板、３ａ，１０２ａ  表示領域、３ｂ，１０２ｂ  印刷領域、４，１０３  液晶表示パネル、４ａ，１０３ａ  透明粘着シート、４ｂ  透光色の粘着部材、５，５Ａ，５Ｂ  モールドフレーム、５ｃ，５ｃ−１  立ち壁部、６，１０５  照明光源部、７，１０６  バックライト保持用ケース、８，１０７  裏面側ケース、９  タッチパネル、１０２ｃ  非透光色の粘着部材、１０４  バックライト保持用フレーム。
【図１】
0005686933.tif 000002
【図２】
0005686933.tif 000003
【図３】
0005686933.tif 000004
【図４】
0005686933.tif 000005
【図５】
0005686933.tif 000006
【図６】
0005686933.tif 000007
【図７】
0005686933.tif 000008
【図８】
0005686933.tif 000009